(57)【要約】      （修正有）【課題】モノのインターネットベースの照明制御装置及びその制御方法を提供する。【解決手段】建物の管理センター内に位置し、インターネット網を介してユーザの制御端末装置と通信して該当照明装置または該当グループの照明装置を制御する制御管理サーバと、前記建物の各層に位置する分電盤内に設けられ、前記該当照明装置または該当グループの照明装置のデータを収集して、電力線通信網を介して前記制御管理サーバに送信するデータ収集装置と、を含むことを特徴とする。本発明によるモノのインターネットベースの照明制御装置及びその制御方法は、建物内の分電盤にデータ収集装置を設けて、制御管理サーバが照明装置を個別またはグループ別に制御することができ、インターネット網に接続されていない状態でも、赤外線通信技術によりユーザの制御端末装置で制御信号を送信して照明をグループ別に制御することができる利点がある。【選択図】図１
2017204458.tif 000002
【特許請求の範囲】
【請求項１】
建物の管理センター内に位置し、インターネット網を介してユーザの制御端末装置と通信して該当照明装置または該当グループの照明装置を制御する制御管理サーバと、
前記建物の各層に位置する分電盤内に設けられ、前記該当照明装置または該当グループの照明装置のデータを収集して、電力線通信網を介して前記制御管理サーバに送信するデータ収集装置と、を含む、モノのインターネットベースの照明制御装置。
【請求項２】
前記制御端末装置は、インターネット接続が可能な移動端末機、またはインターネット接続が可能であり、且つ赤外線通信が可能な移動端末機を含む、請求項１に記載のモノのインターネットベースの照明制御装置。
【請求項３】
前記赤外線通信が可能な移動端末機は、内部に赤外線通信発信部を含む、請求項２に記載のモノのインターネットベースの照明制御装置。
【請求項４】
前記照明装置は、内部に前記赤外線通信発信部から送信されるデータを受信する赤外線通信受信部を含む、請求項１に記載のモノのインターネットベースの照明制御装置。
【請求項５】
前記制御管理サーバは、
前記電力線通信網を介して前記データ収集装置と通信し、データの変調及び復調を行う電力通信モジュールと、
前記照明装置を制御するための照明制御管理プログラムが格納されているメモリ部と、
前記該当照明装置または該当グループの照明装置の位置毎のデータが格納されているデータベースと、
前記電力線通信網と連結されている電力線を介して電力を受ける電源部と、
前記電力通信モジュールで処理されたデータを前記電力線に印加する制御部と、を含む、請求項１に記載のモノのインターネットベースの照明制御装置。
【請求項６】
前記データ収集装置は、
前記電力線通信網を介して前記制御管理サーバ及び前記照明装置と通信し、データの変調及び復調を行う電力通信モジュールと、
前記該当照明装置または該当グループの照明装置のデータを格納するメモリ部と、
前記電力線通信網と連結されている電力線を介して電力を受ける電源部と、
前記電力通信モジュールで処理されたデータを前記電力線に印加する制御部と、を含む、請求項１に記載のモノのインターネットベースの照明制御装置。
【請求項７】
前記照明装置は、
前記電力線通信網を介して前記データ収集装置と通信し、データの変調及び復調を行う電力通信モジュールと、
前記制御端末装置または前記データ収集装置から送信される照明制御命令コードを受信して照明発光部に伝達する制御部と、
前記制御部から伝達される照明制御命令コードに応じて発光する照明発光部と、
前記電力線通信網と連結されている前記電力線を介して電力を受ける電源部と、
前記赤外線通信発信部から送信される赤外線信号を受信して動作する赤外線通信受信部と、を含む、請求項１に記載のモノのインターネットベースの照明制御装置。
【請求項８】
前記照明装置は、赤外線通信により前記制御端末装置と通信する、請求項７に記載のモノのインターネットベースの照明制御装置。
【請求項９】
ユーザの制御端末装置で照明制御管理プログラムを実行させ、ログインを行って前記制御管理サーバと接続するステップと、
前記ユーザが照明制御権限を制御管理サーバに要請するステップと、
前記制御管理サーバから前記照明制御権限の承認を受けた後、前記制御端末装置がインターネット網に接続されているかを確認するステップと、
前記制御端末装置がインターネットに接続されている場合、前記照明制御信号を前記制御管理サーバに送信し、前記制御管理サーバが照明制御命令コードを該当照明装置または該当グループの照明装置に送信するステップと、を含む、モノのインターネットベースの照明制御方法。
【請求項１０】
前記制御管理サーバと接続するステップは、
前記制御管理サーバの固定されたＩＰまたはネットワークアドレスを入力して前記ログインを行うステップを含む、請求項９に記載のモノのインターネットベースの照明制御方法。
【請求項１１】
前記制御管理サーバに要請するステップは、
前記ユーザが前記該当照明装置または該当グループの照明装置に状態情報を要請するステップと、
前記該当照明装置または該当グループの照明装置が状態情報を前記制御管理サーバに送信するステップと、
前記制御管理サーバが状態情報を前記制御端末装置に送信するステップと、
前記ユーザが前記制御管理サーバに照明制御権限を要請するステップと、
前記制御管理サーバが前記制御端末装置にユーザの固有認証コードを送信するステップと、
前記制御端末装置が前記ユーザの固有認証コードを該当照明装置または該当グループの照明装置に送信するステップと、
前記制御管理サーバが前記該当照明装置または該当グループの照明装置に送信されたユーザの固有認証コードを受信した後、前記ユーザが要請した照明制御権限を承認するステップと、を含む、請求項９に記載のモノのインターネットベースの照明制御方法。
【請求項１２】
前記照明制御権限を承認するステップは、
前記制御管理サーバが前記ユーザの固有承認コードを前記制御端末装置に送信するステップと、
前記制御端末装置が内部のセキュリティモジュールに前記ユーザの固有承認コードを格納するステップと、を含む、請求項１１に記載のモノのインターネットベースの照明制御方法。
【請求項１３】
前記該当照明装置または該当グループの照明装置に送信するステップは、
前記制御端末装置がユーザの固有承認コードを前記制御管理サーバに送信するステップと、
前記制御管理サーバがユーザの固有承認コードを確認するステップと、
前記制御管理サーバが前記該当照明装置または該当グループの照明装置の情報を前記制御端末装置に送信するステップと、
前記制御端末装置が照明制御命令を前記制御管理サーバに送信するステップと、
前記制御管理サーバが、前記照明制御命令をデータ収集装置を介して前記該当照明装置または該当グループの照明装置に送信するステップと、を含む、請求項９に記載のモノのインターネットベースの照明制御方法。
【請求項１４】
前記該当照明装置または該当グループの照明装置に送信するステップは、
前記データ収集装置が前記照明制御命令コードを受信したという確認メッセージを前記制御管理サーバに送信するステップと、
前記制御管理サーバが前記照明制御命令コードを確認したという確認信号を前記制御端末装置に送信するステップと、を含む、請求項１３に記載のモノのインターネットベースの照明制御方法。
【請求項１５】
前記制御端末装置がインターネットに接続されていない場合、前記制御端末装置が、照明制御命令コードを赤外線通信により前記該当照明装置または該当グループの照明装置に送信するステップを含む、請求項９に記載のモノのインターネットベースの照明制御方法。
【請求項１６】
前記該当照明装置または該当グループの照明装置に送信するステップは、
前記制御端末装置で照明制御命令を入力するステップと、
前記制御端末装置が前記照明制御命令を前記該当照明装置または該当グループの照明装置に送信するステップと、
前記該当照明装置または該当グループの照明装置が、状態情報を前記データ収集装置を介して前記制御管理サーバに送信するステップと、
前記制御管理サーバが前記照明制御命令を分析して、ユーザの固有認証コードと一致する場合、前記データ収集装置に照明制御命令コードを送信するステップと、
前記データ収集装置が照明制御命令コードを前記該当照明装置または該当グループの照明装置に送信するステップと、を含む、請求項１５に記載のモノのインターネットベースの照明制御方法。
【請求項１７】
前記該当照明装置または該当グループの照明装置に送信するステップは、
前記該当照明装置または該当グループの照明装置が照明制御命令コードを遂行し、命令受信アラームを行うステップを含む、請求項１６に記載のモノのインターネットベースの照明制御方法。
【請求項１８】
前記照明制御命令コードを送信するステップは、
前記制御管理サーバが前記照明制御命令を分析して、ユーザの固有認証コードと一致しない場合、前記データ収集装置に照明制御失敗コードを送信するステップと、
前記データ収集装置が前記照明制御失敗コードを前記該当照明装置または該当グループの照明装置に送信するステップと、
前記該当照明装置または該当グループの照明装置が照明制御命令失敗アラームを行うステップと、を含む、請求項１６に記載のモノのインターネットベースの照明制御方法。
【発明の詳細な説明】
【技術分野】
【０００１】
本発明は、モノのインターネットベースの照明制御装置及びその制御方法に関し、より詳細には、ユーザの固有承認コードが入力されたユーザの制御端末装置で制御信号を送信して照明をグループ別に制御することができる、モノのインターネットベースの照明制御装置及びその制御方法に関する。
【背景技術】
【０００２】
照明装置は、ビルやアパート団地などに配置され、光を照らす用途に用いられている。かかる全ての照明装置は、別の点灯スイッチを連結して制御する。また、照明装置が複数個である場合には、別のプログラムやシステムを用いて一括して制御している。
【０００３】
近年、スマートフォンなどの移動端末機が広く普及されており、通信機能を備えた照明装置がビルやアパート団地などに設けられている。このようにビルやアパート団地などに設けられた照明装置は、高速電力線通信により管理センターと通信し、管理センターは、通信により照明別に制御可能であるように、電力線通信方式（Ｐｏｗｅｒ  ｌｉｎｅ  ｃｏｍｍｕｎｉｃａｔｉｏｎ）のネットワークをベースとして構成されることができる。
【０００４】
そして、赤外線通信技術（Ｉｎｆｒａｒｅｄ  ｒａｙ  ｃｏｍｍｕｎｉｃａｔｉｏｎ）によって各照明装置の情報をユーザが現場で直ちに確認でき、赤外線通信信号を送信してそれに関する情報をサーバに適用して制御することができる。
【０００５】
しかし、モノのインターネット（ＩｏＴ）ベースの装置をインターネットを用いて制御する場合、ハッキングに弱いため、情報流出の恐れがあるという問題がある。また、管理者のみが電力使用量情報などの情報を管理しなければならないという欠点がある。
【０００６】
上記のような問題を防止するための方法として、管理センターとインターネット網にユーザ認証を行ってユーザコードが確認された際にのみ制御が可能であり、全ての照明装置を制御管理サーバでのみ制御可能であるようにして、セキュリティを強化した。
【０００７】
しかし、従来の赤外線通信技術を用いて照明装置を制御する技術は、一つの照明装置のみをオン／オフ制御することができる欠点がある。
【発明の概要】
【発明が解決しようとする課題】
【０００８】
本発明は、建物内の分電盤にデータ収集装置を設けて、制御管理サーバが照明装置を個別またはグループ別に制御することができる、モノのインターネットベースの照明制御装置及びその制御方法を提供することを目的とする。
【０００９】
また、本発明は、電力線通信網を介して、赤外線通信技術によりユーザの制御端末装置で制御信号を送信して照明をグループ別に制御することができる、モノのインターネットベースの照明制御装置及びその制御方法を提供することを目的とする。
【００１０】
また、本発明は、ユーザの制御端末装置がインターネットに接続されていなくても、管理者からの承認により獲得したユーザの固有承認コードが入力されたユーザの制御端末装置で制御信号を送信して照明をグループ別に制御することができる、モノのインターネットベースの照明制御装置及びその制御方法を提供することを目的とする。
【００１１】
本発明の目的は上述の目的に制限されず、言及されていない本発明の他の目的及び利点が、下記の説明から理解されることができ、本発明の実施例によってさらに明確に理解されるであろう。また、本発明の目的及び利点は、特許請求の範囲に記載の手段及びその組合せによって実現され得ることが容易に理解されるであろう。
【課題を解決するための手段】
【００１２】
上記の目的を達成するための本発明は、建物の管理センター内に位置し、インターネット網を介してユーザの制御端末装置と通信して該当照明装置または該当グループの照明装置を制御する制御管理サーバと、前記建物の各層に位置する分電盤内に設けられ、前記該当照明装置または該当グループの照明装置のデータを収集して、電力線通信網を介して前記制御管理サーバに送信するデータ収集装置と、を含むことを特徴とする。
【００１３】
本発明によれば、前記制御端末装置は、インターネット接続が可能な移動端末機、またはインターネット接続が可能であり、且つ赤外線通信が可能な移動端末機を含むことができる。
【００１４】
また、本発明によれば、前記赤外線通信が可能な移動端末機は、内部に赤外線通信発信部を含むことができる。
【００１５】
また、本発明によれば、前記照明装置は、内部に前記赤外線通信発信部から送信されるデータを受信する赤外線通信受信部を含むことができる。
【００１６】
また、本発明によれば、前記制御管理サーバは、前記電力線通信網を介して前記データ収集装置と通信し、データの変調及び復調を行う電力通信モジュールと、前記照明装置を制御するための照明制御管理プログラムが格納されているメモリ部と、前記該当照明装置または該当グループの照明装置の位置毎のデータが格納されているデータベースと、前記電力線通信網と連結されている電力線を介して電力を受ける電源部と、前記電力通信モジュールで処理されたデータを前記電力線に印加する制御部と、を含むことができる。
【００１７】
また、本発明によれば、前記データ収集装置は、前記電力線通信網を介して前記制御管理サーバ及び前記照明装置と通信し、データの変調及び復調を行う電力通信モジュールと、前記該当照明装置または該当グループの照明装置のデータを格納するメモリ部と、前記電力線通信網と連結されている電力線を介して電力を受ける電源部と、前記電力通信モジュールで処理されたデータを前記電力線に印加する制御部と、を含むことができる。
【００１８】
また、本発明によれば、前記照明装置は、前記電力線通信網を介して前記データ収集装置と通信し、データの変調及び復調を行う電力通信モジュールと、前記制御端末装置または前記データ収集装置から送信される照明制御命令コードを受信して照明発光部に伝達する制御部と、前記制御部から伝達される照明制御命令コードに応じて発光する照明発光部と、前記電力線通信網と連結されている前記電力線を介して電力を受ける電源部と、前記赤外線通信発信部から送信される赤外線信号を受信して動作する赤外線通信受信部と、を含むことができる。
【００１９】
また、本発明によれば、前記照明装置は、赤外線通信により前記制御端末装置と通信することができる。
【００２０】
また、本発明は、ユーザの制御端末装置で照明制御管理プログラムを実行させ、ログインを行って前記制御管理サーバと接続するステップと、前記ユーザが照明制御権限を制御管理サーバに要請するステップと、前記制御管理サーバから前記照明制御権限の承認を受けた後、前記制御端末装置がインターネット網に接続されているかを確認するステップと、前記制御端末装置がインターネットに接続されている場合、前記照明制御信号を前記制御管理サーバに送信し、前記制御管理サーバが照明制御命令コードを該当照明装置または該当グループの照明装置に送信するステップと、を含むことを特徴とする。
【００２１】
本発明によれば、前記制御管理サーバと接続するステップは、前記制御管理サーバの固定されたＩＰまたはネットワークアドレスを入力して前記ログインを行うステップを含むことができる。
【００２２】
また、本発明によれば、前記制御管理サーバに要請するステップは、前記ユーザが前記該当照明装置または該当グループの照明装置に状態情報を要請するステップと、前記該当照明装置または該当グループの照明装置が状態情報を前記制御管理サーバに送信するステップと、前記制御管理サーバが状態情報を前記制御端末装置に送信するステップと、前記ユーザが前記制御管理サーバに照明制御権限を要請するステップと、前記制御管理サーバが前記制御端末装置にユーザの固有認証コードを送信するステップと、前記制御端末装置が前記ユーザの固有認証コードを該当照明装置または該当グループの照明装置に送信するステップと、前記制御管理サーバが前記該当照明装置または該当グループの照明装置に送信されたユーザの固有認証コードを受信した後、前記ユーザが要請した照明制御権限を承認するステップと、を含むことができる。
【００２３】
また、本発明によれば、前記照明制御権限を承認するステップは、前記制御管理サーバが前記ユーザの固有承認コードを前記制御端末装置に送信するステップと、前記制御端末装置が内部のセキュリティモジュールに前記ユーザの固有承認コードを格納するステップと、を含むことができる。
【００２４】
また、本発明によれば、前記該当照明装置または該当グループの照明装置に送信するステップは、前記制御端末装置がユーザの固有承認コードを前記制御管理サーバに送信するステップと、前記制御管理サーバがユーザの固有承認コードを確認するステップと、前記制御管理サーバが前記該当照明装置または該当グループの照明装置の情報を前記制御端末装置に送信するステップと、前記制御端末装置が照明制御命令を前記制御管理サーバに送信するステップと、前記制御管理サーバが、前記照明制御命令をデータ収集装置を介して前記該当照明装置または該当グループの照明装置に送信するステップと、を含むことができる。
【００２５】
また、本発明によれば、前記該当照明装置または該当グループの照明装置に送信するステップは、前記データ収集装置が前記照明制御命令コードを受信したという確認メッセージを前記制御管理サーバに送信するステップと、前記制御管理サーバが前記照明制御命令コードを確認したという確認信号を前記制御端末装置に送信するステップと、を含むことができる。
【００２６】
また、本発明によれば、前記制御端末装置がインターネットに接続されていない場合、前記制御端末装置が、照明制御命令コードを赤外線通信により前記該当照明装置または該当グループの照明装置に送信するステップを含むことができる。
【００２７】
また、本発明によれば、前記該当照明装置または該当グループの照明装置に送信するステップは、前記制御端末装置で照明制御命令を入力するステップと、前記制御端末装置が前記照明制御命令を前記該当照明装置または該当グループの照明装置に送信するステップと、前記該当照明装置または該当グループの照明装置が、状態情報を前記データ収集装置を介して前記制御管理サーバに送信するステップと、前記制御管理サーバが前記照明制御命令を分析して、ユーザの固有認証コードと一致する場合、前記データ収集装置に照明制御命令コードを送信するステップと、前記データ収集装置が照明制御命令コードを前記該当照明装置または該当グループの照明装置に送信するステップと、を含むことができる。
【００２８】
また、本発明によれば、前記該当照明装置または該当グループの照明装置に送信するステップは、前記該当照明装置または該当グループの照明装置が照明制御命令コードを遂行し、命令受信アラームを行うステップを含むことができる。
【００２９】
また、本発明によれば、前記照明制御命令コードを送信するステップは、前記制御管理サーバが前記照明制御命令を分析して、ユーザの固有認証コードと一致しない場合、前記データ収集装置に照明制御失敗コードを送信するステップと、前記データ収集装置が前記照明制御失敗コードを前記該当照明装置または該当グループの照明装置に送信するステップと、前記該当照明装置または該当グループの照明装置が照明制御命令失敗アラームを行うステップと、を含むことができる。
【発明の効果】
【００３０】
上述のような本発明によるモノのインターネットベースの照明制御装置及びその制御方法は、建物内の分電盤にデータ収集装置を設けて、制御管理サーバが照明装置を個別またはグループ別に制御することができる利点がある。
【００３１】
また、上述のような本発明によるモノのインターネットベースの照明制御装置及びその制御方法は、電力線通信網を介して、赤外線通信技術によりユーザの制御端末装置で制御信号を送信して照明をグループ別に制御することができる利点がある。
【００３２】
また、上述のような本発明によるモノのインターネットベースの照明制御装置及びその制御方法は、ユーザの制御端末装置がインターネットに接続されていなくても、管理者への承認により獲得したユーザの固有承認コードが入力されたユーザの制御端末装置で制御信号を送信して照明をグループ別に制御することができる利点がある。
【図面の簡単な説明】
【００３３】
【図１】本発明の一実施例によるモノのインターネットベースの照明制御システムの構成図である。
【図２】本発明の一実施例による制御端末装置の構成図である。
【図３】本発明の一実施例による制御管理サーバの構成図である。
【図４】本発明の一実施例によるデータ収集装置の構成図である。
【図５】本発明の一実施例による照明装置の構成図である。
【図６】本発明の一実施例による、ユーザが照明に対する制御権限を要請する過程を示すフローチャートである。
【図７】本発明の一実施例による、インターネット網を介して照明装置に照明制御要請コードを送信するための動作を説明するためのフローチャートである。
【図８】本発明の一実施例による、赤外線通信により照明装置に照明制御要請コードを送信するための動作を説明するためのフローチャートである。
【発明を実施するための形態】
【００３４】
上述の目的、特徴及び利点は、添付図面を参照して詳細に後述される。これにより、本発明が属する技術分野において通常の知識を有する者が、本発明の技術的思想を容易に実施できる。本発明を説明するにあたり、係る公知技術についての具体的な説明が本発明の要旨を不明瞭にする可能性があると判断される場合には、詳細な説明を省略する。以下、添付図面を参照しながら、本発明の好ましい実施例を詳細に説明する。図面において同一の参照符号は同一または類似の構成要素を示す。
【００３５】
図１は本発明の一実施例によるモノのインターネットベースの照明制御システムの構成図である。図２は本発明の一実施例による制御端末装置の構成図である。図３は本発明の一実施例による制御管理サーバの構成図である。図４は本発明の一実施例によるデータ収集装置の構成図である。図５は本発明の一実施例による照明装置の構成図である。
【００３６】
図１から図５を参照すると、本発明の一実施例によるモノのインターネットベースの照明制御システムは、制御端末装置１００と、インターネット網２００と、制御管理サーバ３００と、電力線通信網４００と、データ収集装置５００と、照明装置６００と、を含む。
【００３７】
制御端末装置１００はユーザが携帯可能である。また、制御端末装置１００は、インターネット接続が可能であるか、またはインターネット接続が可能であり、且つ赤外線通信が可能な移動端末機を含むことができる。ここで、制御端末装置１００は、インターネット網２００を介してインターネット接続が可能なコンピュータであることができる。
【００３８】
そして、制御端末装置１００は、ユーザ入力部１０２と、画面表示部１０４と、電源部１０６と、メモリ部１０８と、赤外線通信発信部１１０と、制御部１１２と、無線通信部１１４と、を含む。
【００３９】
ユーザ入力部１０２は、ユーザが移動端末機に情報を入力するためのものであって、キーパッド（Ｋｅｙ  ｐａｄ）またはタッチスクリーンなどを介して移動端末機の入力をユーザから受信する。
【００４０】
画面表示部１０４は、ユーザに移動端末機の状態及び動作過程を表示するものであって、カラー液晶ディスプレイ装置（ＬＣＤ）を用いることができる。ここで、画面表示部１０４は、ユーザに照明制御管理プログラムの状態及び動作過程を表示することができる。
【００４１】
電源部１０６は、電池のように電流を供給する装置であって、移動端末機に電源を供給し、且つ移動端末機に備えられた外部電源部から電源を受けることができる。
【００４２】
メモリ部１０８には、移動端末機の全般的な動作を制御するためのプログラムと応用プログラム及び格納用データが格納されている。この際、応用プログラムは、照明装置を制御するための照明管理制御プログラムであることができる。ここで、格納用データは、電話番号、短文メッセージ、イメージファイル、及びビデオファイルを含むことができる。
【００４３】
赤外線通信発信部１１０は、ユーザがユーザ入力部１０２を介して入力した情報を、赤外線通信を用いて照明装置６００の赤外線通信受信部６１０に送信する。この際、赤外線通信は、近い距離と所定の角度でのみ通信が可能であって、無線広域ネットワークのように外部からデータを盗み取ったり変調することが難しいため、セキュリティ性が高いという利点がある。また、赤外線通信は、モジュール構造が簡単であり、生産コストが低いため、これを搭載した製品を安価に大量生産することができる利点がある。
【００４４】
制御部１１２は、移動端末機の全体動作を制御し、ユーザの入力または要請に応じて照明装置を制御するために照明制御管理プログラムを制御することができる。
【００４５】
無線通信部１１４はデータを送信及び受信し、通信としては、ＣＤＭＡ（Ｃｏｄｅ  Ｄｉｖｉｓｉｏｎ  Ｍｕｌｔｉｐｌｅ  Ａｃｃｅｓｓ）通信、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）通信、または広帯域無線通信が可能である。
【００４６】
制御管理サーバ３００は、建物の管理センター内に位置しており、該当照明装置または該当グループの照明装置の管理データ及び各位置毎のデータを保有している。また、制御管理サーバ３００は、該当照明装置または該当グループの照明装置のデータ管理時に、データベース３０６に格納されている既存電力使用現況などに基づいて、照明装置のオン／オフ時間管理及びスケジュール機能を挿入することができる。ここで、ユーザの照明制御命令より管理者の照明制御命令が上位のものであることができる。
【００４７】
また、制御管理サーバ３００は、電力通信モジュール３０２と、メモリ部３０４と、データベース３０６と、電源部３０８と、制御部３１０と、通信部３１２と、を含む。
【００４８】
電力通信モジュール３０２は、電力線通信網４００を介してデータ収集装置５００と通信し、データインタフェースを含むデータ変復調器プロセッサ及びそれぞれアナログまたはデジタル信号に変換させるデータ変換器などを含むことができる。
【００４９】
ここで、外部から入力されるデータのうち電力通信信号は、電力通信モジュール３０２に伝達されてデータ変調過程を経た後、データ変換器を通過してアナログ形態で電力線７００に印加されることができる。また、電力線７００を介して受信された信号のうち電力通信信号は、電力通信モジュール３０２でデータ復調過程を経た後、制御部３０８を介してユーザが所望するデータ形態で出力されることができる。この際、電力通信モジュール３０２における送信または受信データは、該当照明装置または該当照明装置のグループを制御及び管理するためのデータであることができる。
【００５０】
メモリ部３０４には、管理者が照明装置６００を制御するための照明制御管理プログラムが格納されている。
【００５１】
データベース３０６には、該当照明装置または該当照明装置のグループ及び各位置毎のデータが格納されている。例えば、データベース３０６には、該当照明装置または該当グループの照明装置に該当する電力使用現況などが格納されることができる。
【００５２】
電源部３０８は、電力線通信網４００と連結されている電力線７００を介して電力を受けることができる。
【００５３】
制御部３１０は、制御管理サーバ３００の全体動作を制御し、電力通信モジュール３０２で処理されたデータを電力線７００に印加する。
【００５４】
通信部３１２はインターネット網２００と連結されており、ユーザの制御端末装置１００から提供されるデータを送信または受信することができる。
【００５５】
データ収集装置５００は、建物の各層に位置する分電盤と電気的に連結されており、分電盤内に設けられることができる。また、データ収集装置５００は、建物の各層に位置する照明装置６００のそれぞれまたは複数からなる照明装置のデータを収集または制御することができる。ここで、グループの照明装置のデータを収集または制御する場合、各グループにＩＤを付与して制御することも可能である。
【００５６】
また、データ収集装置５００は、電力通信モジュール５０２と、メモリ部５０４と、電源部５０６と、制御部５０８と、を含む。
【００５７】
電力通信モジュール５０２は、電力線通信網を介して制御管理サーバ３００及び照明装置６００と通信し、データインタフェースを含むデータ変復調器プロセッサ及びそれぞれアナログまたはデジタル信号に変換させるデータ変換器などを含むことができる。
【００５８】
ここで、外部から入力されるデータのうち電力通信信号は、電力通信モジュール５０２に伝達されてデータ変調過程を経た後、データ変換器を通過してアナログ形態で電力線７００に印加されることができる。また、電力線７００を介して受信された信号のうち電力通信信号は、電力通信モジュール５０２でデータ復調過程を経た後、制御部５０８を介してユーザが所望するデータ形態で出力されることができる。
【００５９】
メモリ部５０４には、建物の各層に位置する照明のそれぞれまたは複数からなる照明グループ毎に収集されたデータが格納されることができ、照明グループのそれぞれに該当するＩＤ情報が格納されることができる。
【００６０】
電源部５０６は、電力線通信網と連結されている電力線７００を介して電力を受けることができる。
【００６１】
制御部５０８は、データ収集装置５００の全体動作を制御し、電力通信モジュール５０２で処理されたデータを電力線７００に印加する。
【００６２】
照明装置６００は、ユーザの制御端末装置１００及びデータ収集装置５００と通信可能であって、制御端末装置１００または制御管理サーバ３００から送信される照明制御命令コードをデータ収集装置５００を介して受信し、照明制御命令コードに応じて動作する。ここで、照明装置６００は、赤外線通信によりユーザの制御端末装置１００と通信可能であり、電力線通信によりデータ収集装置５００と通信可能である。
【００６３】
また、照明装置６００は、電力通信モジュール６０２と、制御部６０４と、照明発光部６０６と、電源部６０８と、赤外線通信受信部６１０と、を含む。
【００６４】
電力通信モジュール６０２は、電力線通信網４００を介してデータ収集装置５００と通信し、データインタフェースを含むデータ変復調器プロセッサ及びそれぞれアナログまたはデジタル信号に変換させるデータ変換器などを含むことができる。
【００６５】
ここで、外部から入力されるデータのうち電力通信信号は、電力通信モジュール６０２に伝達されてデータ変調過程を経た後、データ変換器を通過してアナログ形態で電力線７００に印加されることができる。また、電力線７００を介して受信された信号のうち電力通信信号は、電力通信モジュール６０２でデータ復調過程を経た後、制御部６０４を介してユーザが所望するデータ形態で出力されることができる。
【００６６】
制御部６０４は、照明装置の全体動作を制御し、ユーザの制御端末装置１００またはデータ収集装置５００から送信される照明制御命令コードを受信して照明制御信号を照明発光部６０６に伝達する。
【００６７】
照明発光部６０６は、制御部６０４から伝達される照明制御命令コードを受信し、照明制御命令コードに応じて発光する。例えば、照明発光部６０６は、ユーザの制御端末装置１００またはデータ収集装置５００から送信される照明制御命令の受信に成功した場合、ＬＥＤを緑色で１０秒間点滅することができる。また、ユーザの制御端末装置１００またはデータ収集装置５００から送信される照明制御命令の受信に失敗した場合、ＬＥＤを赤色で１０秒間点滅することができる。
【００６８】
電源部６０８は、電力線通信網と連結されている電力線７００を介して電力を受けることができる。
【００６９】
赤外線通信受信部６１０は、ユーザの制御端末装置１００の赤外線通信発信部１１０から送信される赤外線信号を受信して動作する。この際、赤外線通信受信部６１０は赤外線センサを含むことができる。
【００７０】
図６は、本発明の一実施例による、ユーザが照明に対する制御権限を要請する過程を示すフローチャートである。
【００７１】
図６を参照すると、ユーザが照明に対する制御権限を要請するために、先ず、ユーザが制御端末装置１００で照明制御管理プログラムを実行させ、ログインを行って制御管理サーバ３００と接続する（Ｓ１１）。
【００７２】
次に、ユーザが、制御端末装置１００の照明制御管理プログラムで、該当照明装置または該当グループの照明装置に状態情報を要請する（Ｓ１２）。そうすると、制御端末装置１００は、赤外線通信発信部１１０により状態情報要請に該当するデータを該当照明装置または該当グループの照明装置に送信し、該当照明装置または該当グループの照明装置は、状態情報を制御管理サーバ３００に送信する（Ｓ１３）。
【００７３】
次に、制御管理サーバ３００は、インターネット網２００を介してユーザの制御端末装置１００に状態情報を送信する（Ｓ１４）。
【００７４】
その後、ユーザは、制御管理サーバ３００から受信された該当照明装置または該当グループの照明装置の状態情報を制御端末装置１００で確認し、管理者に照明制御権限を要請する（Ｓ１５）。
【００７５】
次に、制御管理サーバ３００は、ユーザの制御端末装置１００にユーザの固有認証コードを送信する（Ｓ１６）。
【００７６】
その後、ユーザの制御端末装置１００は、制御管理サーバ３００から受信されたユーザの固有認証コードを赤外線通信発信部１１０により該当照明装置または該当グループの照明装置に送信する（Ｓ１７）。
【００７７】
次に、制御管理サーバ３００は、該当照明装置または該当グループの照明装置に送信されたユーザの固有認証コードを受信した後、ユーザが要請した照明制御権限を承認する（Ｓ１８）。この際、制御管理サーバ３００は、ユーザの固有承認コードをユーザの制御端末装置１００に送信し、それを受信した制御端末装置１００は、内部のセキュリティモジュールにユーザの固有承認コードを格納する。
【００７８】
図７は、本発明の一実施例による、インターネット網を介して照明装置に照明制御要請コードを送信するための動作を説明するためのフローチャートである。
【００７９】
図７を参照すると、ユーザが制御端末装置１００で照明制御管理プログラムを実行させる（Ｓ２１）。
【００８０】
次に、ユーザは、照明制御管理プログラムでログインするためにユーザ情報を入力する（Ｓ２２）。この際、ユーザは制御管理サーバ３００の固有番号を入力することができる。例えば、ユーザは、制御管理サーバ３００の固有番号として固定されたＩＰまたはネットワークアドレスを入力することができる。
【００８１】
次に、照明制御管理プログラムにログインされると、制御端末装置１００の制御部１１２は照明制御管理メニューを実行させる（Ｓ２３）。
【００８２】
その後、制御端末装置の制御部１１２は、インターネットに接続されているかを確認する（Ｓ２４）。もし、制御端末装置１００がインターネットに接続されていると、制御部１１２は、インターネット網２００を介して制御管理サーバ３００に制御信号を伝達して制御管理サーバ３００に接続する（Ｓ２５）。
【００８３】
次に、ユーザの制御端末装置１００は、セキュリティモジュールに搭載されているユーザの固有承認コードを制御管理サーバ３００に送信し、制御管理サーバ３００は、制御端末装置１００から送信されたユーザの固有承認コードを確認する（Ｓ２６）。
【００８４】
次に、制御管理サーバ３００は、ユーザの制御端末装置１００に照明装置の使用現況情報を送信する（Ｓ２７）。
【００８５】
次に、ユーザは、制御端末装置１００に送信された照明装置の使用現況情報を確認した後、制御端末装置１００で照明制御命令を制御管理サーバ３００に送信する（Ｓ２８）。
【００８６】
その後、制御管理サーバ３００は、制御端末装置１００から送信された照明制御命令を受信して照明制御命令コードをデータ収集装置５００に送信する（Ｓ２９）。
【００８７】
次に、データ収集装置５００は、制御管理サーバ３００から提供される照明制御命令コードを該当照明装置または該当グループの照明装置に送信する（Ｓ３０）。そうすると、データ収集装置５００は、該当照明装置または該当グループの照明装置から照明制御命令コードを受信したという確認メッセージを確認した後、制御管理サーバ３００に照明制御命令コードを伝達したという確認メッセージを発送する。
【００８８】
その後、制御管理サーバ３００は、ユーザの制御端末装置１００に照明制御命令コードを確認したという信号を送信する（Ｓ３１）。
【００８９】
一方、制御端末装置１００がインターネットに接続されていない場合には、ユーザは、制御端末装置１００で赤外線通信により照明制御要請コードを送信する（Ｓ３２）。これについての詳細な説明は図８を参照して説明する。
【００９０】
図８は、本発明の一実施例による、赤外線通信により照明装置に照明制御要請コードを送信するための動作を説明するためのフローチャートである。
【００９１】
図８を参照すると、ユーザは、制御端末装置１００のユーザ入力部１０２を介して照明制御命令を入力する（Ｓ４１）。
【００９２】
次に、制御端末装置１００の制御部１１２は、ユーザの固有承認コードが含まれた照明制御命令を赤外線通信発信部１１０により該当照明装置または該当グループの照明装置に送信する（Ｓ４２）。
【００９３】
次に、該当照明装置または該当グループの照明装置は、赤外線通信受信部６１０に収集された照明制御命令を電力線通信網４００を介してデータ収集装置５００に送信する（Ｓ４３）。
【００９４】
その後、データ収集装置５００は、該当照明装置または該当グループの照明装置から提供される照明制御命令を制御管理サーバ３００に送信する（Ｓ４４）。
【００９５】
次に、制御管理サーバ３００は、データ収集装置５００により提供される照明制御命令を確認する（Ｓ４５）。この際、制御管理サーバ３００は、照明制御命令を分析して、ユーザの固有承認コードと一致する場合には照明制御命令コードをデータ収集装置５００に送信する（Ｓ４６）。
【００９６】
次に、データ収集装置５００は照明制御命令コードを該当照明装置または該当グループの照明装置に送信する（Ｓ４７）。
【００９７】
次に、該当照明装置または該当グループの照明装置は、照明発光部６０６を用いて命令を遂行し、命令受信アラームを行う（Ｓ４８）。ここで、命令受信アラームは、ユーザによって設定可能である。例えば、命令受信アラームは照明発光部６０６を緑色で１０秒間点滅することにより行うことができる。
【００９８】
もし、制御管理サーバ３００は、照明制御命令を分析して、ユーザの固有承認コードと一致しない場合に、データ収集装置５００に照明制御失敗コードを送信する（Ｓ５１）。
【００９９】
次に、データ収集装置５００は、照明制御失敗コードをユーザの制御端末装置１００からの命令を受けた該当照明装置または該当グループの照明装置に送信する（Ｓ５２）。
【０１００】
次に、該当照明装置または該当グループの照明装置は、照明発光部６０６を用いて照明制御命令失敗アラームを行う（Ｓ５３）。ここで、命令失敗アラームは、ユーザによって設定可能である。例えば、命令失敗アラームは、照明発光部６０６を赤色で１０秒間点滅することで行うことができる。
【０１０１】
上述のような本発明によるモノのインターネットベースの照明制御装置及びその制御方法は、建物内の分電盤にデータ収集装置を設けて、制御管理サーバが照明装置を個別またはグループ別に制御することができる利点がある。
【０１０２】
また、上述のような本発明によるモノのインターネットベースの照明制御装置及びその制御方法は、電力線通信網を介して、赤外線通信技術によりユーザの制御端末装置で制御信号を送信して照明をグループ別に制御することができる利点がある。
【０１０３】
また、上述のような本発明によるモノのインターネットベースの照明制御装置及びその制御方法は、ユーザの制御端末装置がインターネットに接続されていなくても、管理者への承認により獲得したユーザの固有承認コードが入力されたユーザの制御端末装置で制御信号を送信して照明をグループ別に制御することができる利点がある。
【０１０４】
上述の本発明は、本発明が属する技術分野において通常の知識を有する者であれば、本発明の技術的思想を逸脱しない範囲内で様々な置換、変形及び変更が可能であるため、上述の実施例及び添付図面により限定されるものではない。
【符号の説明】
【０１０５】
１００  制御端末装置
２００  インターネット網
３００  制御管理サーバ
４００  電力線通信網
５００  データ収集装置
６００  照明装置
７００  電力線
【図１】
2017204458.tif 000003
【図２】
2017204458.tif 000004
【図３】
2017204458.tif 000005
【図４】
2017204458.tif 000006
【図５】
2017204458.tif 000007
【図６】
2017204458.tif 000008
【図７】
2017204458.tif 000009
【図８】
2017204458.tif 000010